(57)【要約】【課題】本発明はナビゲーション装置に関するもので、使い勝手を良くすることを目的とするものである。【解決手段】そしてこの目的を達成するために本発明は、表示部２に接続された制御部６と、この制御部６に接続された現在位置検出部、地図データベース８、検索データベース９、入力部７とを備え、前記地図データベース８は、背景データ１０、道路データ１１、文字列データ１２とを有し、前記制御部６は、前記表示部２に表示させる地域を所定の第一のエリア以下に絞り込んだ後に、その第一のエリア内に付されている文字列データ１２を、目的地検索データとして活用する構成とした。【選択図】図２
2011196919.tif 000002
【特許請求の範囲】
【請求項１】
本体ケースと、この本体ケースに設けられた表示部と、この表示部に接続された制御部と、この制御部に接続された現在位置検出部、地図データベース、検索データベース、入力部とを備え、前記地図データベースは、背景データ、道路データ、文字列データとを有し、前記制御部は、前記表示部に表示させる地域を所定の第一のエリア以下に絞り込んだ後に、その第一のエリア内に付されている文字列データを、目的地検索データとして活用する構成としたナビゲーション装置。
【請求項２】
文字列データを、目的地検索データとして活用する場合には、入力部から入力する文字情報を漢字に変換後、目的地検索を行う構成とした請求項1に記載のナビゲーション装置。
【請求項３】
文字列データを、目的地検索データとして活用する場合には、入力部から入力する文字情報をカタカナに変換後、目的地検索を行う構成とした請求項1に記載のナビゲーション装置。
【請求項４】
文字列データを、目的地検索データとして活用する場合には、入力部から入力する文字情報を英語に変換後、目的地検索を行う構成とした請求項1に記載のナビゲーション装置。
【請求項５】
文字列データを、目的地検索データとして活用する場合には、入力部から入力する文字情報を平仮名に変換後、目的地検索を行う構成とした請求項２〜４のいずれか一つに記載のナビゲーション装置。
【請求項６】
第一のエリア内に付されている文字列データを、目的地検索データとして活用する場合に、この第一のエリアでは検索された文字列データが非表示状態の時には、検索地点に、目的地発見情報を表示させる構成とした請求項１〜５のいずれか一つに記載のナビゲーション装置。
【発明の詳細な説明】
【技術分野】
【０００１】
本発明は、例えば車両用としても活用するナビゲーション装置に関するものである。
【背景技術】
【０００２】
例えば車両用として実用化されているナビゲーション装置は、本体ケースと、この本体ケースに設けられた表示部と、この表示部に接続された制御部と、この制御部に接続された現在位置検出部、地図データベース、検索データベース、入力部とを備えた構成となっている。
すなわち、表示部には、現在位置検出部で検出した位置情報と、その周りの地図情報が表示されるようになっている。
そして、目的地を設定する時には、検索データベースに記録された検索データから目的地を検索するとともに、その目的地までの推奨ルートを表示するようになっている（例えば下記特許文献１）。
【先行技術文献】
【特許文献】
【０００３】
【特許文献１】特開２００９−２６６２０７号公報
【発明の概要】
【発明が解決しようとする課題】
【０００４】
前記従来例の課題は、使い勝手が悪いと言うことであった。
すなわち、目的地を検索するための検索データベースは、近年特に登録データを多くはしているが、実使用状態においては、必ずしも目的地を簡単には、検索することが出来ないこともよく経験することで、この時には、使用者は大きな不満感を感じ、つまり使い勝手の悪いものになるのであった。
【０００５】
そこで、本発明は、使い勝手を良くすることを目的とするものである。
【課題を解決するための手段】
【０００６】
そして、この目的を達成するために本発明は、本体ケースと、この本体ケースに設けられた表示部と、この表示部に接続された制御部と、この制御部に接続された現在位置検出部、地図データベース、検索データベース、入力部とを備え、前記地図データベースは、背景データ、道路データ、文字列データとを有し、前記制御部は、前記表示部に表示させる地域を所定の第一のエリア以下に絞り込んだ後に、その第一のエリア内に付されている文字列データを、目的地検索データとして活用する構成とし、これによって初期の目的を達成しようとするものである。
【発明の効果】
【０００７】
以上のごとく本発明は、本体ケースと、この本体ケースに設けられた表示部と、この表示部に接続された制御部と、この制御部に接続された現在位置検出部、地図データベース、検索データベース、入力部とを備え、前記地図データベースは、背景データ、道路データ、文字列データとを有し、前記制御部は、前記表示部に表示させる地域を所定の第一のエリア以下に絞り込んだ後に、その第一のエリア内に付されている文字列データを、目的地検索データとして活用する構成としたものであるので、使い勝手の良いものとなる。
【０００８】
すなわち、本発明においては、地図データベースが保有している文字列データを目的地検索データとして活用するものであって、この時には、文字列データが膨大なものである
ので、前記表示部に表示させる地域を所定の第一のエリア以下に絞り込んだ後に、その第一のエリア内に付されている文字列データを、目的地検索データとして活用する構成とし、これによって第一のエリア内に付されている文字列データからも、目的地を検索することができるようになり、その結果として目的地検索ヒット率が上がり、これにより使用者の不満感を取り除き、使い勝手の良いものとすることができるのである。
【図面の簡単な説明】
【０００９】
【図１】本発明の実施の形態１にかかるナビゲーション装置の斜視図
【図２】同制御ブロック図
【図３】同表示部の表示内容を示す正面図
【図４】同動作フローチャート
【図５】同動作フローチャート
【発明を実施するための形態】
【００１０】
以下、本発明の一実施形態を、車両用のナビゲーション装置に適用したものを、添付図面を用いて説明する。
（実施の形態１）
図1において、１は矩形箱状の本体ケースで、この本体ケース１の前面には矩形の表示部２が設けられている。
【００１１】
また、本体ケース１の前面で、表示部２の下方には、この表示部２に、何を表示させるのかを選択するメニュースイッチ３が設けられている。
よく知られているように、本実施形態のナビゲーション装置でも、地図情報を用いたナビゲーションだけでなく、ＴＶやラジオの受信やＤＶＤやＣＤの再生も行えるようになっているので、そのいずれか選択するために、このメニュースイッチ３が操作される。
【００１２】
また、メニュースイッチ３の左には、表示部２にオーディオ情報を表示させるためのオーディオ表示スイッチ４、さらにメニュースイッチ３の右には、表示部２にナビゲーション情報を表示させるためのナビゲーション表示スイッチ５が設けられている。
【００１３】
図２は制御ブロック図を示し、図１の表示部２には、制御部６が接続されている。
また、この制御部６には入力部７が接続されており、この図２においては、入力部７は、前記メニュースイッチ３、オーディオ表示スイッチ４、ナビゲーション表示スイッチ５以外にも、各種操作時に表示部２に表出する他の入力部（図示せず）も、まとめて記載している。
【００１４】
さらに、この制御部６には、よく知られているように、ＧＰＳアンテナ（図示せず）から現在位置を検出するための現在位置検出部（図示せず）も接続されているが、そのようなことは良く知られたことであるので、説明の煩雑化を避けるために、割愛している。
さて、本実施形態では、制御部６に、地図データベース８と、検索データベース９が接続されており、この内、前記地図データベース８は、背景データ１０、道路データ１１、文字列データ１２とを有している。
【００１５】
地図データベース８を構成する背景データ１０とは、例えばそこが海なのか、陸上なのか、公園地なのか等によって、色を変えるためのデータである。また、前記地図データベース８を構成する道路データ１１とは、文字通り、道路の大きさとか、方向とかを示すためのデータである。さらに、地図データベース８を構成する文字列データ１２とは、その地域名、山名、川名、社寺名等、地図に記載されている極めて多くの文字情報である。
【００１６】
一方、検索データベース９とは、目的地を選択するために整えられた検索データであっ
て、名称検索データ、住所検索データ、電話番号検索データ、施設検索データ等がそれにあたる。
【００１７】
この検索データベース９については、近年ますますその情報量が整理、拡充され、その結果として目的地検索に対する目的地検索ヒット率は向上している。
しかしながら、実施用状態でよく経験するのは、これほどまでに拡充された検索データベース９が備えられたものであっても、必ずしも目的地検索が行えないこともある。
それは、使用者が、検索指定したいと思う情報が、極めて広い範囲に及ぶからであり、しかもそのように検索したい場所は、以前、地図上の文字では確認したことのあるものであった場合には、それが時代の進んだ今、検索できないと、極めて大きな不満感を感ずることにもなる。
【００１８】
そこで、本実施形態では、地図データベース８が保有している文字列データ１２を目的地検索データとして活用するものである。
つまり、図３のごとく表示部２に、神吉神社が表記されている場合には、その地図データベース８が保有している文字列データ１２に、必ずこの神吉神社という文字列データ１２が存在しているので、この文字列データ１２を利用し、神吉神社を目的地検索することが出来るようにするものである。
【００１９】
使用者がこの神吉神社を検索するためには、図４〜図５に示した操作を行う。
使用者は、先ず、図４のＳ１で、かんきじんじゃ、と平仮名で名称を入力し、検索データベース９を用いて制御部６が検索を行い（図４のＳ２）、検索できた時には、検索した地点を表示部２の中心に表示する（図５のＳ３）。
そして、この地点で間違いなければ、行き先設定、経由地設定、ポイント登録などを行い（図５のＳ４）、案内をスタートさせる。
【００２０】
しかしながら、図４のＳ２で、かんきじんじゃ、が検索できない時には、表示部２における地図表示エリアを、目的地（神吉神社）が存在すると予想される、１０Ｋｍ四方エリアに設定する。
【００２１】
つまり、使用者は以前この目的地（神吉神社）を地図上で確認していたのであるから、この目的地（神吉神社）が存在すると予想される、１０Ｋｍ四方エリアを選択するのは、それほど困難を伴わない。
【００２２】
次に、使用者は、目的地の地図表示が漢字であったと記憶しているので、検索のための入力を漢字で、神吉神社と入力する（図４のＳ６）。
制御部６では、表示部２に表示されている１０Ｋｍ四方エリアに存在する文字列データ１２と、前記入力された漢字の神吉神社を比較し、検索を行う（図４のＳ７）。
文字列データ１２は膨大なものであるが、例えば１０Ｋｍ四方エリアと限定すれば、それを検索データとして十分活用することは可能である。
【００２３】
この検索の結果、入力した漢字の神吉神社が、文字列データ１２から検索されると（図４のＳ８）、表示部２内の検索地点に、目的地発見情報（例えば赤色の円を点滅）を表示させる（図５のＳ９）。
【００２４】
つまり、この検索では、１０Ｋｍ四方エリアからの検索であるので、この状態では、神吉神社が検索できても、文字情報をそこに表示することは出来ない。
したがって、このように表示エリア（例えば１０Ｋｍ四方エリア）では検索された文字列データが非表示状態の時には、検索地点に、目的地発見情報を表示させるようにしたのである。
【００２５】
続いて、表示部２では、検索地点を図３のごとく拡大表示させ（図５のＳ１０）、この図３で確認した神吉神社を指で押すことにより、図５のＳ３、Ｓ４の手順で、目的地登録し、案内をスタートさせる。
【００２６】
なお、図４のＳ８で入力した文字情報から検索が出来ない時には、再検索として、入力する文字情報をカタカナに変換後、目的地検索を行ったり、入力部から入力する文字情報を英語に変換後、目的地検索を行ったり、入力する文字情報を、再度平仮名に変換後、目的地検索を行ったりする。
【００２７】
つまり、地図表示が漢字表示ではなく、カタカナ表示の場合もあるし、英語表示の場合もあるし、はたまた平仮名表示に変更されている場合もあるので、このような入力を行い、図４のＳ６からの検索を試みることも必要である。
【００２８】
以上のごとく、本実施形態によれば、前記表示部２に表示させる地域を所定の第一のエリア以下に絞り込んだ後に、その第一のエリア内に付されている文字列データ１２を、目的地検索データとして活用するものであって、この時には、文字列データが膨大なものであるので、前記表示部２に表示させる地域を所定の第一のエリア以下に絞り込んだ後に、その第一のエリア内に付されている文字列データ１２を、目的地検索データとして活用する構成とし、これによって第一のエリア内に付されている文字列データ１２からも、目的地を検索することができるようになり、その結果として目的地検索ヒット率が上がり、これにより使用者の不満感を取り除き、使い勝手の良いものとすることができるのである。
【産業上の利用可能性】
【００２９】
以上のごとく本発明は、本体ケースと、この本体ケースに設けられた表示部と、この表示部に接続された制御部と、この制御部に接続された現在位置検出部、地図データベース、検索データベース、入力部とを備え、前記地図データベースは、背景データ、道路データ、文字列データとを有し、前記制御部は、前記表示部に表示させる地域を所定の第一のエリア以下に絞り込んだ後に、その第一のエリア内に付されている文字列データを、目的地検索データとして活用する構成としたものであるので、使い勝手の良いものとなる。
【００３０】
すなわち、本発明においては、地図データベースが保有している文字列データを目的地検索データとして活用するものであって、この時には、文字列データが膨大なものであるので、前記表示部に表示させる地域を所定の第一のエリア以下に絞り込んだ後に、その第一のエリア内に付されている文字列データを、目的地検索データとして活用する構成とし、これによって第一のエリア内に付されている文字列データからも、目的地を検索することができるようになり、その結果として目的地検索ヒット率が上がり、これにより使用者の不満感を取り除き、使い勝手の良いものとすることができるのである。
したがって、車両用のナビゲーション装置として、広く活用が期待される。
【符号の説明】
【００３１】
１  本体ケース
２  表示部
３  メニュースイッチ
４  オーディオ表示スイッチ
５  ナビゲーション表示スイッチ
６  制御部
７  入力部
８  地図データベース
９  検索データベース
１０  背景データ
１１  道路データ
１２  文字列データ
【図１】
2011196919.tif 000003
【図２】
2011196919.tif 000004
【図３】
2011196919.tif 000005
【図４】
2011196919.tif 000006
【図５】
2011196919.tif 000007